(57)【要約】      （修正有）【課題】適宜数の投光ライトの俯仰角を同時に変えられ、しかも、その操作が簡単で、広い空間域を照らすに好適な投光機を提供する。【解決手段】横軸２４に沿わせて適宜数の投光ライト１６を取付けた取付け枠１７を、支持枠２に設けた一対の支柱２ｂに、軸受を介して前記横軸２４において回動自在に支持させる。また、前記横軸２４の中間部周側に腕部片２５を突設し、該腕部片２５の自由端側の先端部と、前記支持枠２に立設したシリンダ２３のロッド２３ｂ先端部を接続ピン２６で互いに回動自在に接続する。【選択図】図５
0003167646.tif 000002
【実用新案登録請求の範囲】
【請求項１】
横軸に沿わせて適宜数の投光ライトを取付けた取付け枠を、支持枠に設けた一対の支柱に、軸受を介して前記横軸において回動自在に支持させると共に、前記横軸の中間部周側に腕部片を突設し、該腕部片の自由端側の先端部と、前記支持枠に立設したシリンダのロッド先端部を互いに回動自在に接続した、投光機。
【請求項２】
支持枠を軸を中心に回動自在に機台に支持させ、該機台と前記支持枠の間には、前記支持枠の回動操作用のシリンダを設けた、請求項１記載の投光機。
【請求項３】
機台と支持枠の間には、前記支持枠の下面に固定し、しかも、機台上を転動する自在車輪を介在させた、請求項２記載の投光機。
【考案の詳細な説明】
【技術分野】
【０００１】
本考案は、屋外の工事現場で用いる投光機に関するものである。
【背景技術】
【０００２】
台車に伸縮自在に支柱を立設し、該支柱の上端に単一なライトを水平方向と垂直方向に回動調節自在に取付けた構造のものがある（例えば、特許文献１）。
【先行技術文献】
【特許文献】
【０００３】
【特許文献１】特開平９−１６１５０３号公報
【考案の概要】
【考案が解決しようとする課題】
【０００４】
前記従来構造のものは、台車を利用しているため、狭い現場での利用には好便であるが、ダム工事など広い現場を照らすには不適当で、単一なライトしか用いていないこともあって、場所の広さに見合った複数個のものを用意する必要があった。そして、広い場所を照らすに複数個の前記の投光機を用いるとしても、各投光機はそれぞれが別体のものであるため、照らす方向の調整を別個にしなければならないので、これを解消できる投光機が望まれていた。
【０００５】
本考案は、この要望に対処するもので、多数の投光ライトの俯仰角を同時に変えられる等ダム工事現場など広い空間域を照らすに好適な投光機を提供することを目的とする。
【課題を解決するための手段】
【０００６】
横軸に沿わせて適宜数の投光ライトを取付けた取付け枠を、支持枠に設けた一対の支柱に、軸受を介して前記横軸において回動自在に支持させると共に、前記横軸の中間部周側に腕部片を突設し、該腕部片の自由端側の先端部と、前記支持枠に立設したシリンダのロッド先端部を互いに回動自在に接続した構成とする。なお、支持枠を軸を中心に回動自在に機台に支持させ、該機台と前記支持枠の間には、前記支持枠の回動操作用のシリンダを設けた点や機台と支持枠の間には、前記支持枠の下面に固定し、しかも、機台上を転動する自在車輪を介在させた点を、前記構成に付加することにより光の照射方向（方位角）も容易に変更でき、総じて広い現場に用いるに好適な投光機を提供できる。
【考案の効果】
【０００７】
本考案によればシリンダを操作することによって適宜数の投光ライトの照射角度（俯角や仰角）を同時に変更することができ、従って、複数の投光ライトを備えているにも係らず、照射角の変更が容易で、ダム工事現場など広い空間域を照らすに好適な投光機を提供できる。
【図面の簡単な説明】
【０００８】
【図１】投光機の正面図。
【図２】投光機の背面図。
【図３】投光機の平面図。
【図４】一部を省略して示した投光機の平面図。
【図５】図２のｙ−ｙ線断面図。
【図６】図２のｘ−ｘ線断面図。
【図７】一部を省略した投光機中央部の拡大縦断面図。
【考案を実施するための形態】
【０００９】
図面は本考案に係る投光機の一実施形態を示し、実施形態の投光機は、機台１に支持枠２を回動自在に支持させ、該支持枠２に取付け枠１７を俯仰自在に支持させて構成する。
【００１０】
機台１は、Ｈ形鋼を構成素材として形成したもので、横長の機台主体１ａの両端部に、機台主体１ａに対して直交方向に配した走行台１ｂ，１ｂ´を、その長手方向の中間部を接続して設け、また、機台主体１ａの一方の走行台１ｂ側の、長手方向に沿う一側面には走行台１ｂ，１ｂ´と平行する機器支持台１ｃを突設して構成する。
【００１１】
前記支持枠２は、機台１と同様にＨ形鋼を構成素材とするもので、機台１の前記主体１ａより長くした、横長の支持枠主体２ａの、長手方向の両端部に支柱２ｂ，２ｂ´を立設して構成したもので、この支持枠２は、支持枠主体２ａの長手方向の中央に、縦方向に設けた組付け孔３を備え、該組付け孔３に、機台１の前記主体１ａの長手方向の中央の上面に立設した組付け軸５を挿通させるようにして機台１と組合わせてある。
【００１２】
組付け軸５（機台１に固定した）と支持枠２の支持枠主体２ａ（機台１に対して自由な）間には組付け軸５に組付けた軸受材６を介在させ、支持枠２は組付け軸５を中心にして円滑に回動するようにしてある。
【００１３】
そして、支持枠２は、支持枠主体２ａの下面の、長手方向の両端部に固定した自在車輪７，７によって機台１上に受支されている。すなわち、支持枠主体２ａの下面両端部には前記組付け孔３と等距離にして自在車輪７，７を設け、前記組付け軸５を中心にして支持枠主体２ａ（支持枠２）を回動（揺動）させたとき、自在車輪７が機台１の走行台１ｂ，１ｂ´上にあって転動するようにしてある。従って、組付け軸５と走行台１ｂ又は１ｂ´間の距離と組付け孔３と自在車輪７間の距離は略等しくしてあり、一方の自在車輪７と組付け孔３間の距離と、他方の自在車輪７と組付け孔３間の距離が相違するときは、走行台１ｂ，１ｂ´の位置をそれに対応させて変える必要がある。一方の走行台１ｂと組付け軸５間と、他方の走行台１ｂ´と組付け軸５間のそれぞれの距離が相違する場合は、前記とは逆に自在車輪７，７の位置関係をそれに合わせなければならない。
【００１４】
そして、前記機台１の機器支持台１ｃの先端部側面に、上（先）端が投光ライト支持枠２の前記支持枠主体２ａと同じ高さに位置する支持板８を溶接して突設し、この支持板８の上部片面には支承枠８ａを突設し、この支承枠８ａと、前記支持枠主体２ａの側面の適所に突設した支承枠８ａと同様に基片とその両側に三角状の側片を相対設してなる支承枠１０との間に第一シリンダ１１を介在させて設けてある。
【００１５】
すなわち、第一シリンダ１１は、筒体１１ａ側を機器支持台１ｃ側の支承枠８ａに、ロッド１１ｂ側を支持枠主体２ａの支承枠１０にそれぞれ回動自在に枢着したものである。
【００１６】
この第一シリンダ１１（油圧式、エアー式、電動式いずれでも不都合はない）を伸縮させると、機台１側が固定側となって、投光ライト支持枠２側は、ロッド１１ｂの伸展、縮少に従って組付け軸５を中心に、時計廻り又は反時計廻り方向に回動し、該支持枠２に横方向に並べた投光ライト（ライトと該ライトを組付けたライト本体で構成）１６，…は、方向（方位角）を変え、所望の方向に向いて光を照射する。
【００１７】
また、支持枠２の前記支柱２ｂ，２ｂ´に、上下一対の横材（管体で構成）１７ａ，１７ｂと該横材１７ａ，１７ｂ間に架設した連結板１７ｃとで成る前記取付け枠１７を、俯仰自在に支持させ、該取付け枠１７には、上下の横材１７ａ，１７ｂを支持筒１８部に貫通させて取付け枠１７に投光ライト１６を組付ける一方、中間部を前記横材１７ａ，１７ｂを内側に嵌め込んで該横材１７ａ，１７ｂに組合わせたＵ字ボルト１９を、横材１７ａ，１７ｂ間に渡した挟持板２０に挿通させ、挟持板２０より突出するボルト先端にナット２１を螺合、締付けることにより、投光ライト１６，…を支持枠２に支持させてある。
【００１８】
すなわち、投光ライト１６を取付けた取付け枠１７は、前記横材１７ａ，１７ｂ間に位置し、左右両端間に渡る横軸２４を備え、この横軸２４を軸受２９，２９を介して前記支柱２ｂ，２ｂ´に回動（俯仰）自在に支持させ、横軸２４の回動に伴う、投光ライト１６の照光角度の変更がなされるようにしてある。そして、照光角度の変更は、横軸２４と支持枠２間に介在させた第二シリンダ２３のロッド２３ｂの進退動作によって行われる。
【００１９】
第二シリンダ２３は、筒体２３ａの基部を、支持枠主体２ａに設けた支承枠２７に回動自在に枢着して立設し、筒体２３ａとで第二シリンダ２３を構成するロッド２３ｂの自由端部と、前記横軸２４の中間部（長手方向の）周側に突設した腕部片２５の自由端側の先端部を接続ピン２６で互いに回動自在に接続して配設したものである。そして、この第二シリンダ２３（油圧、エアー或いは電動のいずれでも良いが、実施形態は電動式）の操作より腕部片２５の、接続ピン２６側の先端部は上、下に移動し、その結果、腕部片２５と、いわば一体的な、投光ライト１６を備えた取付け枠１７は、横軸２４を中心に回ることになり、投光ライト１６は上を向いたり、下を向いたりして照射角度を変えることができる。
【００２０】
図中、２２は、ライトの点灯やシリンダの伸縮操作等の制御盤を示す。
【符号の説明】
【００２１】
２      支持枠
２ｂ，２ｂ´  支柱
１６    投光ライト
１７    取付け枠
２３    シリンダ
２３ｂ  ロッド
２４    横軸
２５    腕部片
２６    接続ピン
【図１】
0003167646.tif 000003
【図２】
0003167646.tif 000004
【図３】
0003167646.tif 000005
【図４】
0003167646.tif 000006
【図５】
0003167646.tif 000007
【図６】
0003167646.tif 000008
【図７】
0003167646.tif 000009